(57)【特許請求の範囲】
【請求項１】
円形状天面と前記円形状天面に接合する円筒面とを有する円筒形の取付容器であってボルトに取り付けられる円筒形の取付容器の中に設置され、前記取付容器に点灯器を固定する固定器具において、
前記取付容器の円形状天面に結合される取付面であって、前記取付容器を取り付けるボルトが挿入されるボルト挿入孔を有する取付面と、
前記取付面に接合する側面と前記側面に接合して前記点灯器を固定するための固定面とを有する点灯器固定部とを備え、
前記取付面と前記側面と前記固定面とは平面でありそれぞれ垂直に一体成形した
ことを特徴とする固定器具。
【請求項２】
前記側面が前記取付容器の内部と同じ高さを持ち、前記取付面の端部が前記取付容器の前記円筒面に内接する
ことを特徴とする請求項１記載の固定器具。
【請求項３】
前記点灯器固定部は、
前記固定面から垂直に前記側面と逆向きに高さを持つ点灯器用支柱を有して前記点灯器が前記点灯器用支柱に固定される
ことを特徴とする請求項１または請求項２記載の固定器具。
【請求項４】
前記固定器具は、さらに、
前記取付面と前記点灯器固定部との少なくともいずれかに電池を設置する電池設置部
を備えることを特徴とする請求項１〜請求項３いずれかに記載の固定器具。
【請求項５】
前記固定器具は、さらに、
前記側面との間に電池を保持する電池保持板
を備えたことを特徴とする請求項４記載の固定器具。
【請求項６】
前記電池保持板は、
前記点灯器用支柱が挿入される保持板挿入孔を有して前記点灯器用支柱に取り付けられる
ことを特徴とする請求項５記載の固定器具。
【請求項７】
前記電池保持板は、
前記電池保持板の幅手方向の中央から外れた位置に前記保持板挿入孔を有する
ことを特徴とする請求項６記載の固定器具。
【請求項８】
前記固定器具は、さらに、
電源端子を備える電源端子台を前記取付面と前記点灯器固定部との少なくともいずれかに設置する端子台設置部
を備えたことを特徴とする請求項１〜請求項７いずれかに記載の固定器具。
【請求項９】
前記固定器具は、さらに
電灯装置を点検する点検装置を設置する点検装置設置面と前記点検装置設置面に接合すると共に前記取付面に接合する点検装置設置側部とを有する点検装置設置部
を備えたことを特徴とする請求項１〜請求項８いずれかに記載の固定器具。
【請求項１０】
前記取付面と前記点検装置設置側部と前記点検装置設置面とでコ字形を形成した
ことを特徴とする請求項９記載の固定器具。
【請求項１１】
前記取付面と前記点検装置設置側部と前記点検装置設置面とは平面でありそれぞれ垂直に一体成形した
ことを特徴とする請求項９または請求項１０記載の固定器具。
【請求項１２】
前記点検装置を前記点検装置設置面に設置したときの前記点検装置の表面の高さが、前記固定器具を取り付けられる取付容器の高さと同じである
ことを特徴とする請求項９〜請求項１１いずれかに記載の固定器具。
【請求項１３】
前記固定器具は、さらに、
電源装置を前記取付面に取り付ける電源装置取付部
を備えたことを特徴とする請求項１〜請求項１２いずれかに記載の固定器具。
【請求項１４】
前記固定器具は、さらに、
点灯器に接続して点灯器の落下を防止する落下防止具を前記固定面に取り付ける落下防止具取付部
を備えたことを特徴とする請求項１〜請求項１３いずれかに記載の固定器具。
【請求項１５】
前記固定器具は、
前記点灯器固定部を複数備えた
ことを特徴とする請求項１〜請求項３いずれかに記載の固定器具。
【請求項１６】
前記固定器具は、さらに、
前記点灯器固定部のいずれかに隣接させて前記固定器具の内側に電池を設置する電池設置部と、
電池が隣接する点灯器固定部以外の点灯器固定部に隣接させて、電源端子を備える電源端子台を前記固定器具の内側に設置する端子台設置部と
を備えたことを特徴とする請求項１５記載の固定器具。
【請求項１７】
前記固定器具は、さらに、
電灯装置を点検する点検装置を設置する点検装置設置面と前記点検装置設置面に接合すると共に前記取付面に接合する点検装置設置側部とを有する点検装置設置部
を備えたことを特徴とする請求項１５または請求項１６記載の固定器具。
【請求項１８】
請求項１から請求項１７いずれかに記載の固定器具と、
点灯する点灯器と、
前記点灯器を点灯するための点灯用部品であって前記固定器具に取り付けられる点灯用部品とを備える電灯装置であって、
前記点灯器は、
点灯部と、
前記点灯部が設置される点灯部用支柱と、
前記点灯部用支柱が挿入される点灯部用支柱挿入孔がある支柱取付器と、
前記点灯部用支柱が挿入される取付具開口部があり前記点灯部用支柱を前記支柱取付器に取り付ける開口取付具と
を備え、
前記開口取付具は前記支柱取付器に固定するネジが取り付けられる取付具ネジ孔を有し、
前記点灯部用支柱は、前記支柱取付器の前記点灯部用支柱挿入孔に挿入され、前記点灯部用支柱挿入孔の上方で前記開口取付具の前記取付具開口部がはめ込まれ前記支柱取付器に固定される支柱はめ込み溝を有し、
前記取付具ネジ孔に取り付けられ前記支柱取付器と前記開口取付具と前記点灯部用支柱とを固定するネジを備える
ことを特徴とする電灯装置。
【請求項１９】
請求項１から請求項１７いずれかに記載の固定器具と、
点灯する点灯器と、
前記点灯器を点灯するための点灯用部品であって前記固定器具に取り付けられる点灯用部品とを備える電灯装置であって、
前記点灯器は、
点灯部と、
前記点灯部が設置される点灯部用支柱と、
前記点灯部用支柱が挿入される点灯部用支柱挿入孔がある点灯部用支柱挿入面を有する支柱取付器と、
前記点灯部用支柱が挿入される取付具開口部があり前記点灯部用支柱を前記支柱取付器に取り付ける開口取付具と、
前記支柱取付器に接合されて前記開口取付具を固定する開口固定具と
を備える点灯器であり、
前記開口固定具は前記開口取付具を引き上げて固定するネジが取り付けられる固定具ネジ孔を有し、
前記開口取付具は前記開口固定具側に引き上げるネジが取り付けられる取付具ネジ孔を有し、
前記点灯部用支柱は、前記支柱取付器の前記点灯部用支柱挿入孔に挿入され、前記点灯部用支柱挿入孔の上方で前記開口取付具の前記取付具開口部がはめ込まれ引き上げられる支柱はめ込み溝と前記点灯部用支柱挿入孔の下方で前記点灯部用支柱挿入面に圧せられ前記支柱取付器に固定される支柱突起部とを有し、
前記固定具ネジ孔と前記取付具ネジ孔とに取り付けられ前記開口固定具と前記開口取付具と前記点灯部用支柱とを固定するネジを備える
ことを特徴とする電灯装置。
【請求項２０】
請求項１から請求項１７いずれかに記載の固定器具と、
容器用挿入孔を有する円形状天面と前記円形状天面に接合する円筒面とを有する円筒形の取付容器と、
前記取付容器の開口面をカバーする点灯部用支柱挿入面を有する点灯器と、
前記固定器具の取付面と前記固定器具の前記点灯器固定部の側面と前記固定器具の前記点灯器固定部の固定面との内側に取り付けられる点灯用部品と、
前記固定器具の前記点灯器固定部の固定面に設けられる点灯器用支柱であって、前記点灯器の前記点灯部用支柱挿入面を取り付けるための点灯器用支柱とを備え、
前記固定器具の前記取付面は、
前記取付容器内部において前記円形状天面に固定されるとともに、前記ボルトを通す装置用開口部を有し、前記ボルトを前記容器挿入孔と前記装置用開口部とに通して、前記取付容器と前記固定器具とを前記ボルトに固定する
ことを特徴とする電灯装置。
【請求項２１】
前記電灯装置は、さらに、
前記取付容器の円形状天面の外面に固定された箱状筐体を有する電源装置を備え、
前記電源装置は、前記取付容器の円形状天面の外面の部分であって前記取付容器と前記点灯器との前記ボルトへの取り付けの妨げにならない部分に固定され、箱状筐体の一部は、前記取付容器の円形状天面からはみ出して取り付けられている
ことを特徴とする請求項２０記載の電灯装置。
【請求項２２】
請求項１から請求項１７いずれかに記載の固定器具と、
円形状天面と前記円形状天面に接合する円筒面とを有する円筒形の取付容器と、
前記取付容器をカバーする点灯部用支柱挿入面を有する支柱取付器と、
一端が前記点灯部用支柱挿入面に取り付けられ、他端に点灯部を接続する中空パイプ状の点灯部用支柱と
を備え、
前記点灯部用支柱の一端には、端部から順に環状溝と環状凸部とが形成され、  前記支柱取付器は、
前記点灯部用支柱の一端を環状凸部まで挿入する点灯部用支柱挿入孔を有する前記点灯部用支柱挿入面と、
前記点灯部用支柱挿入孔に挿入された前記点灯部用支柱の一端の環状溝に係合するＵ字状の開口取付具と、
前記点灯部用支柱挿入面の内面と前記開口取付具との間に圧力をかけて、前記環状凸部を前記点灯部用支柱挿入面の挿入孔の周囲外面に圧接することにより、前記点灯部用支柱の一端を前記支柱取付器に固定するネジ部品と
を備えることを特徴とする電灯装置。
【発明の詳細な説明】
【技術分野】
【０００１】
本発明は、表示装置・誘導灯装置などに用いる固定器具および電灯装置に関するものである。
【背景技術】
【０００２】
通常、器具本体を天井に埋込む場合、天井内での設置スペースの制約が多いため器具本体の高さを出来るだけ低く設定する必要がある。そこで、電源を供給する点灯装置を器具本体の内部でなく外部に取り付ける場合、点灯装置を器具本体外部の任意の位置に取り付けてしまうと、器具本体を設置するために天井に空けられた孔に入らず点灯装置および器具本体を天井に設置することができない。しかし、電源を供給する点灯装置を器具本体に内蔵させると器具本体の高さを点灯装置分だけ高くすることになり、さらに点灯装置から発した熱により器具本体に収納された各部品に悪影響を与え部品の寿命を短くしてしまう。点灯装置の放熱を目的とするならば器具本体に放熱のための抜け穴を開けることで点灯装置を器具本体に内蔵させることも可能になるが、抜け穴を通してほこり等のごみ類が器具本体に進入しごみ類付着による電子部品の発火・火災、故障の原因になる。
【０００３】
また、従来、パイプ形状の部材と板状の部材を垂直にパイプ形状が貫通する様に取り付ける場合、パイプにタップ加工を施し、板状の部材を両側からナット等の締結具で締め固定する方法が一般的であった。この場合、パイプにタップ加工が必要であり、また取り付けの際、両側からのナットを締める作業が必要であった。さらに、パイプ中央部で平板に取り付けたい場合にはタップ加工を端部から中央部までにわたり施す必要があり、取付性や意匠としても好ましくないものであった。
また、特許文献１に挙げる様な取付構造の場合、被取付部と取付部品との間に隙間やがたつきが生じる可能性があり、振動により取付金具が外れて取付部品が落下する可能性もあった。
【特許文献１】実公平２−１８９４８号
【発明の開示】
【発明が解決しようとする課題】
【０００４】
本発明は、上記の課題などを解決するためになされたもので、例えば、器具本体の高さを低くし、器具本体に収納された部品をごみ類や点灯装置から発した熱から守り、点灯装置および器具本体を天井に空けられた所定の孔に設置し、器具本体に部品を取り付ける構造体部品に複数の機能を備えられるようにすることを目的とする。
また、例えば、パイプ材を容易で且つ強い固定強度を持って板材に取り付けられるようにすることを目的とする。
【課題を解決するための手段】
【０００５】
本発明の固定器具は、電力により点灯器を点灯させる電灯装置を装置用支柱に固定する固定器具であり、装置用支柱が挿入される装置用開口部を有する電灯装置固定面と、前記電灯装置固定面に接合する点灯器固定側部と前記点灯器固定側部に接合して点灯器を固定する点灯器固定面とを有する点灯器固定部とを備えたことを特徴とする。
【発明の効果】
【０００６】
本発明によれば、例えば、器具本体の高さを低くし、器具本体に収納された部品をごみ類や点灯装置から発した熱から守り、点灯装置および器具本体を天井に空けられた所定の孔に設置し、器具本体に部品を取り付ける構造体部品に複数の機能を備えることができる。
また、例えば、パイプ材を容易で且つ固定強度を持って板材に取り付けられるようにすることができる。
【発明を実施するための最良の形態】
【０００７】
図１は、実施の形態における表示装置１００の設置状態を示す正面図である。
図２は、実施の形態における表示装置１００の設置状態を示す右側面図である。
図３は、実施の形態における表示装置１００の設置状態を示す平面図である。
図１〜図３に示す表示装置１００（電灯装置の一例）は、器具本体３００（取付容器の一例）の外部に電力を供給する点灯装置２００（電源装置の一例）を取り付けてボルト９０３（装置用支柱の一例）およびナット９０４で固定され天井９０１に設置されている。また、表示装置１００は、器具本体３００の内部に各部品を取付る固定金具４００（固定器具の一例）を取り付け、固定金具４００に表示パネル５００（点灯器の一例）を固定している。
【０００８】
以下の各実施の形態において、商用電源を所定電圧まで降圧する点灯装置２００が外部に配置された器具本体３００と、ＬＥＤ（発光ダイオード：Ｌｉｇｈｔ  Ｅｍｉｔｔｉｎｇ  Ｄｉｏｄｅ）光源を有する表示パネル５００とを備える表示装置１００について説明する。また、前記器具本体３００から離して配置された表示パネルユニット（以下に示す点灯部５５０）と前記点灯装置２００との間に位置し前記ＬＥＤ光源に電気的に接続する電線が挿通されて前記器具本体３００と前記表示パネルユニットとを機械的に接続するパイプ（以下に示すパイプ５４０）を有することを特徴とする表示装置１００について説明する。
【０００９】
従来、表示パネル５００として、避難経路表示パネル、非常口案内パネル、屋内案内パネル、売り場案内パネル、フロアレイアウトパネルなど、相応の面積を要する平面に表示される情報パネルを天井９０１に設置するためには、表示パネル５００の上辺を天井面に取り付け、パネル面を天井から垂直に取り付けるのが一般的である。したがって、天井９０１には矩形の孔をあけなければならない。しかも、表示パネルのサイズにより、天井の矩形サイズも変更しなければならない。また、矩形の孔をあけるのは、困難が伴う。また、以前から、天井に円形の孔を設け、ダウンライトを取り付けることが行われている。
【００１０】
そこで、以下の実施の形態は、天井９０１の孔は特定の直径の円形でよく、すでに利用されているダウンライトに使用される天井９０１の孔と同一サイズの孔を用いて平面の表示パネル５００を設置できるようにするものである。
【００１１】
天井９０１の孔のサイズは、たとえば、直径１０〜２０センチメートルであり、標準的なものには直径１２．５・１５．０・１７．５センチメートルがあり、器具本体３００には、一般的な円筒形、ハット形、釣鐘形などの形状の容器を用いる。
器具本体３００は胴部が曲面を呈するので、以下の実施の形態は、収納部品を取り付けやすくするために、器具本体３００内部に平面からなる固定金具４００を取り付け、固定金具４００にすべての収納部品を取り付けるようにする。
【００１２】
また、直径１０〜２０センチメートルの孔に対して、表示パネル５００を点灯する電気回路や点灯部品を内蔵した器具本体３００を埋め込むことになるが、天井裏の高さが小さいこと、ボルト９０３が天井裏にあることの理由から、器具本体３００の高さを小さくしなければならない。また、器具本体３００が円筒形でその直径が特定され、かつ、器具本体３００の高さを取れないという制約がある。また、器具本体３００が小さな体積しかもてないため、部品を収納しきれないこと、発熱した部品の熱を放熱しにくいことという課題が生じる。
【００１３】
そこで、以下の実施の形態は、器具本体３００と点灯装置２００を設け、器具本体３００には、現場の取り付け作業に必要な部品とユーザがアクセスする部品（例えば、点検スイッチ）と交換部品・消耗部品（例えば、電池）とを収納するようにし、点灯装置２００には、発熱部品、耐久部品（例えば、電圧コンバータ）を収納するようにするものである。
【００１４】
また、以下の各実施の形態において、表示パネル５００のサイズは自由に設定でき、形状も自由である。
【００１５】
実施の形態１．
実施の形態１において、電力により表示パネル５００を点灯させる表示装置１００をボルト９０３に固定する固定金具４００について説明する。
図４は、実施の形態１における固定金具４００を取り付けた器具本体３００と点灯装置２００とを示す図である。
点灯装置２００を外部に取り付けた器具本体３００の内部において、固定金具４００は点検スイッチ部８３０や電池８２０などの複数の部品・機能を備えて、例えば図４に示すように取り付けられる。
【００１６】
放熱の点から、器具本体３００と点灯装置２００と固定金具４００とは、鉄、アルミニウムなどの金属を用いるのがよい。点灯装置２００の金属筐体に発熱部品を直接取り付け金属筐体の伝熱と表面放熱により温度上昇を防止する。器具本体３００は、孔へのはめ込み、ゴミよけなどの目的があるので、強度（厚み）はいらない。固定金具４００は、器具本体３００と点灯装置２００と表示パネル５００とを連結固定するものであるから強度（厚み）が必要である。固定金具４００は、平面上厚板の金属を人手状、星状に打ち抜き、折り曲げて、単一部品として、成型することができる。
【００１７】
図５は、実施の形態１における器具本体３００を示す図である。
固定金具４００が内部に取り付けられる器具本体３００は、図５に示すように、ボルト９０３が挿入されるボルト挿入孔３１７（容器挿入孔の一例）がある取付面３１０（円形状天面の一例）と取付面３１０に接合する側面３２０（円筒面の一例）とを有する。また、器具本体３００は天井９０１の孔を覆うつば３３０を側面３２０に結合して有し、側面３２０と取付面３１０とで中空胴部を形成するハット形状の容器である。また、ボルト挿入孔３１７は取付面３１０のほぼ中央に位置する。
さらに、器具本体３００は、電線を配置する電線挿入孔３１１、点灯装置２００からの電線を取り込む電線挿入孔３１２、点灯装置２００を設置するネジが取り付けられるネジ孔３１３・ネジ孔３１４、固定金具４００を設置するネジが取り付けられるネジ孔３１５および電源端子台８１０を設置するネジが取り付けられるネジ孔３１６を取付面３１０に有する。
また、器具本体３００はダウンライトなどに用いられる標準サイズの容器で構わない。標準サイズとは、例えば、直径１２．５・１５．０・１７．５センチメートル程度の大きさである。
また、器具本体３００は円柱形でなく四角柱形、三角柱形、楕円柱形などでも構わない。
また、器具本体３００はアルミ材で形成することで放熱効果を高めることができる。
【００１８】
図６は、実施の形態１における固定金具４００を示す図である。
図７は、実施の形態１における固定金具４００と取付部品とを示す図である。
固定金具４００は、器具本体３００の内側において取付面３１０に取付面４１０（電灯装置固定面の一例）を結合して設置される。図６に示すように、取付面４１０は、ボルト９０３が挿入されるボルト挿入孔４１１（装置用開口部の一例）、点灯装置２００からの電線を取り込む電線挿入孔４１２、点灯装置２００を設置するネジが取り付けられるネジ孔４１３・ネジ孔４１４（電源装置取付部の一例）、器具本体３００に固定金具４００を設置するネジが取り付けられるネジ孔４１５、電源端子台８１０を固定金具４００の内側で取付面４１０に設置するネジが取り付けられるネジ孔４１６（端子台設置部の一例）と電源端子台８１０の突起物をはめ込む端子台固定孔４１９（端子台設置部の一例）および表示パネル５００を取り付けるボルト４２３・ボルト４３３を棒材で押し込んで固定するためのボルト固定作業孔４１７・ボルト固定作業孔４１８を有する。
また、固定金具４００は、取付面４１０に一体形成する側面４２１（点灯器固定側部の一例：第２の側部）と側面４２１に一体形成して表示パネル５００を固定する固定面４２２（点灯器固定面の一例）とを有する表示パネル固定部４２０（点灯器固定部の一例）を備える。また、固定金具４００は、取付面４１０に一体形成する側面４３１（点灯器固定側部の一例：第１の側部）と側面４３１に一体形成して表示パネル５００を固定する固定面４３２（点灯器固定面の一例）とを有する表示パネル固定部４３０（点灯器固定部の一例）を備える。
また、固定面４２２・固定面４３２は、側面４２１・側面４３１と逆向き（固定面４２２をはさんで側面４２１と反対側および固定面４３２をはさんで側面４３１と反対側）に所定の高さを持つ垂直なボルト４２３・ボルト４３３（点灯器用支柱の一例）を有する。つまり、ボルト４２３・ボルト４３３は固定面４２２・固定面４３２の外面に設ける。そして、表示パネル５００がボルト４２３・ボルト４３３に固定される。
また、固定面４２２は、表示パネル５００に接続して表示パネル５００の落下を防止する落下防止具５９５を取り付ける落下防止具取付部４２４（落下防止具取付部の一例）を有する。
さらに、固定金具４００は、表示装置１００を点検する点検スイッチ部８３０（点検装置の一例）を設置する固定面４４２（点検装置設置面の一例）と固定面４４２に一体形成すると共に取付面４１０に一体形成する側面４４１（点検装置設置側部の一例）とを有する点検スイッチ固定部４４０（点検装置設置部の一例）を備える。
また、固定面４４２は点検スイッチ部８３０を設置するネジが取り付けられるネジ孔４４５・ネジ孔４４６を有する。なお、点検スイッチ部８３０に係止爪を設け、固定面４４２に係止穴を設けて、係止爪を係止穴に嵌合して固定するなど、ワンタッチ取付構造としてもよい。
【００１９】
図６に示すように、固定金具４００は、取付面４１０と側面４２１と固定面４２２および取付面４１０と側面４３１と固定面４３２でぞれぞれコ字形を形成する。
また、取付面４１０と側面４２１と固定面４２２と側面４３１と固定面４３２は平面であり、取付面４１０と側面４２１、側面４２１と固定面４２２、取付面４１０と側面４３１および側面４３１と固定面４３２はそれぞれ垂直に一体成形する。
また、側面４２１・側面４３１が器具本体３００の内部と同じ高さを持ち、固定金具４００はボルト挿入孔４１１をボルト挿入孔３１７に重ねて器具本体３００に設置された場合に取付面４１０が側面３２０に内接する大きさを持つ。
また、後述するように、固定金具４００は、固定金具４００の内側で表示パネル固定部４３０に隣接させて電池８２０を設置する電池保持部材４５０（電池設置部の一例）を備える。なお、停電時などの非常時に点灯する必要がない表示装置１００は、電池８２０が不要であるので電池保持部材４５０も不要である。
また、固定金具４００は、電池が隣接する表示パネル固定部４３０以外の固定部（表示パネル固定部４２０）に隣接させて、電源端子を備える電源端子台８１０を固定金具４００の内側に設置するネジ孔４１６・端子台固定孔４１９を備える。
また、固定金具４００は、取付面４１０と側面４４１と固定面４４２とでコ字形を形成する。
また、取付面４１０と側面４４１と固定面４４２とは平面でありそれぞれ垂直に一体成形する。
また、点検スイッチ部８３０を固定面４４２に設置したときの点検スイッチ部８３０の表面の高さは器具本体３００の内部と同じ高さである。
また、点検スイッチ固定部４４０は、表示パネル固定部４２０と表示パネル固定部４３０の中間に位置する。
また、側面４２１と側面４３１とは器具本体３００の中空胴部内に沿って歯状に形成し、固定面４２２と固定面４３２とは器具本体３００の中空胴部の中央方向に折り曲げた舌形状で形成する。
【００２０】
取付面４１０、側面４２１、固定面４２２、側面４３１、固定面４３２、側面４４１および固定面４４２は平面で垂直に接合することで部品に密に接することができ部品の固定強度を高めることができる。但し、平面でなく曲面、凹凸面および棒材などでも構わないし、接合角は垂直でなくても構わない。
また、側面４２１と側面４３１とは器具本体３００の内部と同じ高さにすることで、固定金具４００により大きな部品設置スペース、作業スペースを設けることができるが、任意の高さでも構わない。
また、点検スイッチ部８３０を固定面４４２に設置したときの点検スイッチ部８３０の表面の高さを器具本体３００の内部と同じ高さにすることで点検スイッチ部８３０の操作を行いやすくできるが、点検スイッチ部８３０を任意の高さに設置するような固定金具４００であっても構わない。
また、点検スイッチ固定部４４０を任意の位置に設けてもよい。
【００２１】
固定金具４００は、ホームベース形状あるいは六角形状の天面を有しておりひとつ置きに各辺を折り曲げて側面部を形成している。このように側面部が抜け歯状（櫛の歯状）になっているのは、全側面が側面部で覆われているよりも部品収納面積を増加させるためである。また、器具本体３００（固定金具４００）内での作業場所を少しでも増加させるためである。また、軽くするため、材料費を安くするためである。
器具本体３００の内部は９０度づつ４等分してあると考えることができる。時計回りに第１〜第４領域と呼ぶことにする。第１領域と第３領域の天面内側に、電源端子台８１０と電池８２０とを配置する。第１領域と第３領域の下方は空間にする。第１領域と第３領域には側面部を設け、側面部の端部を舌状に曲げて固定面とし、固定面のボルトに表示パネル５００を固定する。第２領域の天面外部には点灯装置２００が固定され、点灯装置２００との配線が通る電線挿入孔４１２を設け、第２領域の天面内側に空間を設ける。第２領域の下方には、点検スイッチ部８３０が配置される。第４領域の天面には、電源コードが取り込まれる電線挿入孔３１１を設ける。第４領域の下方は、配線接続のため空間を確保する。作業空間を増加させるために第４領域には側面部は設けない。第１〜第４領域の中央にはボルト９０３とナット９０４が挿入されるので空間を確保する。作業員は、中央空間と各空間を用いて配線作業と取付作業をすることができる。
【００２２】
次に、固定金具４００への取付部品の取付方法について図７に基づいて以下に説明する。
電源端子台８１０は、固定金具４００に設置するネジを取り付けるネジ孔８１１および突起部８１２を有する。そして、突起部８１２を端子台固定孔４１９にはめ込むと共にネジ孔４１６とネジ孔８１１とにネジ８１９を取り付けて電源端子台８１０を固定金具４００に設置する。
点検スイッチ部８３０は、手動点検スイッチ８３３、自動点検スイッチ８３４、電池の充電状態を示す確認ランプ８３５、表示パネル５００の光源の寿命、はずれ（接触不良）、故障などを示す確認ランプ８３６、電池８２０を電力とし定められた時間（例えば、２０分〜６０分）において連続点灯させた自動点検結果を示す確認ランプ８３７および固定面４４２に設置するネジが取り付けられるネジ孔を有する固定面８３１・固定面８３２を有する。そして、固定面８３１のネジ孔とネジ孔４４６および固定面８３２のネジ孔とネジ孔４４５にそれぞれネジ８３８・ネジ８３９を取り付けて点検スイッチ部８３０を固定金具４００に設置する。なお、電池８２０が不要な表示装置１００においては点検スイッチ部８３０が不要である。
商用電源が断たれた際に非常用電源として使用される電池８２０は、表示パネル固定部４３０と電池保持板４５８（電池保持板の一例）とで押さえ込まれて固定金具４００に保持される。
電池保持板４５８は、ボルト４３３が挿入されるボルト挿入孔４５４（保持板挿入孔の一例）がある取付面４５１を有しナット４５９によりボルト４３３に取り付けられる。また、電池保持板４５８は、電池８２０を支える支持面４５２、取付面４５１と支持面４５２とを連結する連結面４５３を有し、表示パネル固定部４３０とで押さえて電池８２０を保持する。また、電池保持板４５８とナット４５９とで電池保持部材４５０（電池設置部の一例）を形成する。つまり、表示パネル５００を固定するステー部である表示パネル固定部４３０のボルト４３３に電池保持部材４５０を共締めして電池８２０を保持する。
【００２３】
図８は、実施の形態１における取付部品を取り付けた固定金具４００を示す図である。
【００２４】
上記のように、固定金具４００は、以下の機能を有する部材を備える。
（１）表示パネル固定部４３０・表示パネル固定部４２０
表示パネル５００を接続する機能であり、金具のステー部（固定面４３２・固定面４２２）にオスネジ（ボルト４２３・ボルト４３３）またはメスネジを備える。また、表示パネル５００の固定方法として、クイックラッチ方式（簡易取付方式）やその他の方式を用いてもよい。
（２）端子台固定部（ネジ孔４１６・端子台固定孔４１９）
電源端子台８１０を固定する機能である。固定金具４００の内側において取付面４１０、表示パネル固定部４２０・表示パネル固定部４３０の少なくともいずれかに電源端子台８１０を設置するとよい。固定方法は、ネジ固定方式でなく、突起物ではさみ込むはさみ込み方式や電池保持部材４５０のような押さえ込み方式、接着方式およびその他の方式を用いてもよい。
（３）電池保持部材４５０
電池８２０を保持する機能である。固定金具４００の内側において取付面４１０、表示パネル固定部４２０・表示パネル固定部４３０の少なくともいずれかに電池８２０を設置・保持してもよい。電池保持部材４５０は、ステー部（表示パネル固定部４３０）に穴を設けて、その穴に取り付けてもよい。固定方式は、押さえ込み方式でなく、ネジ固定方式、はさみ込み方式、接着方式およびその他の方式を用いてもよい。
（４）点検スイッチ固定部４４０
点検スイッチ部８３０を固定する機能である。点検スイッチ固定部４４０は電池保持部材４５０と兼用してもよい。固定方式は、ネジ固定方式でなく、はさみ込み方式、押さえ込み方式、接着方式およびその他の方式を用いてもよい。
（５）落下防止具取付部４２４
表示パネル５００の落下防止機能であり、表示パネル５００を固定するパイプ内に備えられた落下防止具５９５を取り付けることで表示パネル５００の落下を防止する。
（６）点灯装置固定部（ネジ孔４１３・ネジ孔４１４）
点灯装置２００を器具本体３００に固定する補強板としての機能であり、点灯装置２００を取り付け易くするために器具本体３００に取り付ける（仮止め）。
（７）ボルト取付部（ボルト挿入孔４１１）
天井９０１に吊り下げられたボルト９０３に固定する機能である。
【００２５】
固定金具４００において、ボルト挿入孔４１１を固定金具４００のほぼ中央部に設けてボルト挿入孔４１１以外の各部を固定金具４００の外周部に副って配置したので、固定金具４００の中央部に空間を設けて各部品を取り付けることができる。これにより、ボルト９０３に器具本体３００を取り付ける作業や各部品の配線作業の作業性がよくなるとともに、表示パネル５００を支える表示パネル固定部４２０・表示パネル固定部４３０を器具本体３００に収納することができる。
また、固定金具４００において、各部の配置には外周の３方を使用し１方の空間を空けたことで、電線の配置箇所や各部品の設置・接続を行うための作業スペースを設け、作業性を向上することができる。但し、固定金具４００は１方にのみ各部を配置する形状であってもよい。
【００２６】
図９は、実施の形態１における一方向に回転する電池保持板４５８を示す図である。
上記の電池保持板４５８は、電池保持板４５８の幅手方向（図９の“Ａ”が示す方向）の中央から外れた位置にボルト挿入孔４５４を有することを特徴とする。つまり、電池保持板４５８に備えるボルト挿入孔４５４の位置を電池保持板４５８の幅手方向の中央部ではなく、図９に示すように、片寄りにして、電池保持板４５８の折り曲げ位置をステー部（固定面４３２）に当接するようにする。これにより、電池保持板４５８をネジ締めして固定することで電池保持板４５８が回転してズレるのを防止し確実に電池８２０を保持することができる。さらに、ネジを緩めると電池保持板４５８を一方向に回転させて電池保持板４５８を取り外すことができる。また、電池保持板４５８の回転方向により回転半径が異なり一方は電池保持板４５８が器具本体３００の側面３２０に当たり回転できないため、電池保持板４５８の回転方向を制御することができる。
【００２７】
図１０、図１１、図１２、図１３および図１４は、実施の形態１における表示パネル５００を取り付ける固定金具４００を示す図である。
上述のように、点灯装置２００は器具本体３００の外部に設置され、固定金具４００は器具本体３００の内部に設置される。そして、各図に示すように、固定金具４００は、ボルト４２３・ボルト４３３を表示パネル５００が備えるカバー５１０の取付孔５１４・取付孔５１５に挿入されナット５９６・ナット５９７で固定されて表示パネル５００が取り付けられる。固定金具４００にカバー５１０を取り付けると共に、器具本体３００の開口面をカバーするように表示パネル５００のカバー５１０を器具本体３００に取り付ける。このとき、図１０に示すように、表示パネル５００に接続された落下防止具５９５を落下防止具取付部４２４に取り付けることにより、表示パネル５００の落下を防止することができる。また、図１０に示すように、点灯装置２００からの電力を供給する電線のコネクタ８１３を表示パネル５００の電線のコネクタ５９３に接続することにより表示パネル５００に電力を供給し発光体を発光させる。コネクタ８１３とコネクタ５９３とは図１１に示すような形状を有して接続される。また、器具本体３００と同じ高さで点検スイッチ部８３０を固定金具４００に設置できることにより、表示パネル５００を器具本体３００に設置した際に点検スイッチ部８３０の操作を容易に行うことができる。つまり、手動点検スイッチ８３３・自動点検スイッチ８３４をスイッチ押下孔５８１・スイッチ押下孔５１９から押下することができ、確認ランプ８３５・確認ランプ８３６・確認ランプ８３７を確認孔５１８・確認孔５１７・確認孔５１６から確認することができる。
【００２８】
上記実施の形態１において、表示パネル５００を接続する器具本体３００内部に、少なくても２つ以上の機能を有している構造体部品（固定金具４００）を有する表示装置１００について説明した。
また、以下の機能を有する構造体部品（固定金具４００）を備えた表示装置１００について説明した。
表示パネル５００を接続する機能（表示パネル固定部４２０、表示パネル固定部４３０）、表示装置１００に商用電源を供給する電気接続部品（電源端子台８１０）や非常時に光源を点灯させる蓄電池（電池８２０）を保持する機能（ネジ孔４１６、端子台固定孔４１９、電池保持部材４５０）、充電を表示するなどの表示灯（確認ランプ８３５・確認ランプ８３６・確認ランプ８３７）又は点検スイッチ（手動点検スイッチ８３３・自動点検スイッチ８３４）又はその両方を備えた装置（点検スイッチ部８３０）を保持する機能（点検スイッチ固定部４４０）、表示パネル５００の落下防止機能（落下防止具取付部４２４）、器具本体３００との固定を補強する補強機能（ネジ孔４１５）、点灯装置２００との固定を補強する補強機能（ネジ孔４１３、ネジ孔４１４）、表示装置１００自体を取付けるための補強機能（ボルト挿入孔４１１）。
【００２９】
また、点灯装置２００の箱状筐体の一部を器具本体３００の天面からはみ出させて配置して、固定金具４００と点灯装置２００とを器具本体３００の天面を挟んで固定する点灯装置固定工程（電源装置固定工程の一例）について説明した。
後述する器具接続工程後、カバー５１０を器具本体３００に取り付けるカバー工程について説明した。
【００３０】
器具本体３００内部の構造体部品が今まで１部品で２つ程度の機能しか持てなかったのに対して、少なくても上述した７つの機能を有することができる固定金具４００について上記実施の形態１で説明した。つまり、上記実施の形態１で説明した固定金具４００を１つ用いるだけで７つ以上の機能を実装できるため、表示装置１００の製品コストを安価に抑えることができ、且つ、表示装置１００の組立を簡単にすることができる。また、簡単な施工（ネジ孔など）をすることでダウンライトなどに使用される標準サイズの容器を上記実施の形態１における器具本体３００として利用することもできるため、表示装置１００の製品コストを安価に抑えることができる。
電源端子台８１０、電池８２０および点検スイッチ部８３０は点灯用部品の一例であり、固定金具４００はそれ以外の部品を取り付けるものであってもよい。
【００３１】
実施の形態２．
前述のように、器具本体３００を天井９０１に埋込む場合には、天井内の制約が多いために器具本体３００の高さを出来るだけ低く設定することが必要である。また、点灯装置２００を器具本体３００に内蔵させると器具本体３００の高さが高くなるため、上記実施の形態１では器具本体３００の外部に点灯装置２００を配置した。
しかし、器具本体３００の任意の位置に点灯装置２００を取り付けてしまっては、天井９０１に空けられた孔のサイズに入らず、点灯装置２００および器具本体３００を天井９０１に設置できない場合がある。
そこで、各実施の形態で説明する表示装置１００は器具本体３００に点灯装置２００の端部を取り付けることを特徴とする。つまり、点灯装置２００が、ボルト９０３への取り付けの妨げにならない位置に偏位して器具本体３００の天面の外面に固定され、箱状筐体の一部を天面からはみ出した位置に取り付られることを特徴とする。
実施の形態２では、点灯装置２００の端部を取り付けた器具本体３００の天井９０１への設置について説明する。
【００３２】
図１５は、実施の形態２における点灯装置２００を取り付けた器具本体３００の天井９０１への設置を示す図である。
図１６は、実施の形態２における点灯装置２００を取り付けた器具本体３００の天井９０１への設置を示す図である。
まず、図１５に示すように、天井９０１に空けられた孔の端側に点灯装置２００を挿入する。
次に、図１６に示すように、天井９０１に挿入した点灯装置２００を軸として器具本体３００を上方に回転させて点灯装置２００を天井９０１にはめ込みボルト９０３に固定する。
【００３３】
図１７は、実施の形態２における点灯装置２００と器具本体３００とボルト９０３との関係を示す正面図である。
図１８は、実施の形態２における点灯装置２００と器具本体３００とボルト９０３との関係を示す正面図である。
図１９は、実施の形態２における点灯装置２００と器具本体３００との関係を示す側面図である。
図２０は、実施の形態２における天井９０１の孔径が１７５ミリメートルである場合の各寸法の範囲を示す表である。
図２１は、実施の形態２における天井９０１の孔径が１５０ミリメートルである場合の各寸法の範囲を示す表である。
図２２は、実施の形態２における天井９０１の孔径が１２５ミリメートルである場合の各寸法の範囲を示す表である。
【００３４】
以下で説明する各制約を考慮した場合の各寸法の最適な範囲を図２０、図２１および図２２に示す。図２０は天井９０１の孔径が１７５ミリメートル、図２１は天井９０１の孔径が１５０ミリメートル、図２２は天井９０１の孔径が１２５ミリメートルの場合である。
図２０、図２１および図２２において、各項目は以下の寸法を示す。
項目“Ａ”は“天井９０１の孔径”を示す。
項目“Ｂ”は“器具本体３００の直径”を示す。
項目“Ｃ”は“器具本体３００と点灯装置２００との高さ”を示す。
項目“Ｄ”は“器具本体３００の中央から器具本体３００に外付けした点灯装置２００の外端までの距離”を示す。
項目“Ｅ”は“天井９０１の厚さ”を示す。
項目“Ｆ”は“点灯装置２００の幅”を示す。
項目“Ｇ”は“器具本体３００に挿入する部分のボルト９０３の高さ”を示す。
項目“Ｈ”は“器具本体３００の高さ”を示す。
項目“Ｉ”は“点灯装置２００の高さ”を示す。
【００３５】
点灯装置２００と器具本体３００とボルト９０３との位置・寸法の関係について、図１７、図１８および図１９に基づいて説明する。
【００３６】
天井９０１と点灯装置２００と器具本体３００には以下のような制約がある。
（１）天井９０１の内部の高さ“Ｊ”（図１７参照）
ダウンライトを取り付けるなどの一般的な施工の場合、天井９０１の内部の高さ“Ｊ”は８０〜１００ミリメートルである。
（２）天井９０１の孔径“Ａ”（図１７・図１８参照）
ダウンライトを取り付けるなどの一般的な施工の場合、天井９０１に空けられる孔の直径は１００〜２００ミリメートル程度である。特に、直径が１２５ミリメートル、１５０ミリメートルまたは１７５ミリメートルの孔が標準サイズとして施工される。
（３）点灯装置２００の大きさ（高さ“Ｉ”［図１７・図１８参照］）
点灯装置２００は、商用電流を直流電流に変換する“交流−直流コンバータ”、商用電圧を降圧する“電圧コンバータ”や電池８２０を充電する充電器などを内蔵するため、一定以上のサイズを要する。例えば、点灯装置２００の高さ“Ｉ”は２０ミリメートル以上あることが望ましい。
（４）器具本体３００の大きさ（直径“Ｂ”，高さ“Ｈ”［図１７・図１８参照］）
器具本体３００は天井９０１の孔に内接し天井９０１の内部に設置するため、器具本体３００の直径“Ｂ”は天井９０１の孔径“Ａ”に依存する。例えば、器具本体３００の直径“Ｂ”を天井９０１の孔径“Ａ”より５ミリメートル小さいサイズとする。つば３３０の直径“Ｐ”は天井９０１の孔径“Ａ”より大きい。また、器具本体３００は、以下で述べるように、内部に電源端子台８１０、電池８２０や点検スイッチ部８３０などの部品を備えると共に各部品を接続する配線や作業スペースを確保するために一定以上の高さを要する。例えば、器具本体３００の高さ“Ｈ”は５０ミリメートル以上あることが望ましい。なお、“Ｉ＋Ｈ＜Ｊ”の関係がある。
【００３７】
さらに、点灯装置２００、器具本体３００、天井９０１およびボルト９０３は相対関係として以下のような制約がある。
（５）器具本体３００に挿入する部分のボルト９０３の高さ“Ｇ”（図１８参照）
ボルト９０３に器具本体３００をナット９０４で固定する場合、固定強度を十分に得るために、ナット９０４を取り付けるためのボルト９０３の高さ“Ｇ”（器具本体３００に挿入された部分）は１５〜２５ミリメートルほど設けるのが望ましい。なお、“Ｇ＜Ｈ”の関係がある。
（６）点灯装置２００の幅“Ｆ”（図１９参照）
点灯装置２００と器具本体３００との固定強度を十分に得るためには点灯装置２００の幅“Ｆ”を６０ミリメートル以上として器具本体３００に接することが望ましい。また、器具本体３００の中央にはボルト９０３が挿入されるため点灯装置２００の幅“Ｆ”は器具本体３００の直径未満になる。なお、“Ｆ＜Ｂ＜Ａ”の関係がある。
（７）器具本体３００に外付けした点灯装置２００を天井９０１の孔から斜め方向に挿入したときの点灯装置２００の天井９０１からの高さ“Ｍ”（図１７参照）
高さ“Ｍ”は天井９０１の内部の高さ“Ｊ”以下の必要がある。このため、器具本体３００から外出した部分の点灯装置２００の長さ“Ｏ”（図１８参照）、点灯装置２００を天井９０１の孔に挿入する角度および点灯装置２００の高さ“Ｉ”は、天井９０１の内部の高さ“Ｊ”に依存し、結果として“Ｍ≦Ｊ”の関係を満たす必要がある。
（８）器具本体３００に外付けした点灯装置２００を天井９０１の孔から斜め方向に挿入したときの天井９０１の孔の端部から点灯装置２００の天井９０１の孔中央よりの端部までの距離“Ｌ”（図１７参照）
距離“Ｌ”は天井９０１の孔の端部からボルト９０３の端部までの距離“Ｋ”以下の必要がある。このため、器具本体３００に接する部分の点灯装置２００の長さ“Ｎ”、点灯装置２００を天井９０１の孔に挿入する角度および点灯装置２００の高さ“Ｉ”は、天井９０１の孔の端部からボルト９０３の端部までの距離“Ｋ”に依存し、結果として“Ｌ≦Ｋ”の関係を満たす必要がある。
【００３８】
また、各実施の形態では各項目間にだいたい以下の関係がある。
（ａ）Ｎ≒（Ｂ−ボルト挿入孔径）／２
（ｂ）Ｄ：Ｂ≒１：１
（ｃ）Ｈ：Ｉ≒２：１
（ｄ）Ｇ：Ｈ≒１：４
（ｅ）Ｆ：Ｂ≒１：１
【００３９】
上述のように、点灯装置２００を器具本体３００の外部に取り付け天井９０１に設置することができることにより、天井９０１内での器具本体３００の高さを低くすることが可能になった。また、点灯装置２００自体から発せられる熱を器具本体３００の外部に放熱させることが出来ることで点灯装置２００から発せられる熱から器具本体３００に取り付ける各部品を保護することができるようになった。
また、器具本体３００を外部に取り付けた点灯装置２００を天井９０１に設置することができるため、各実施の形態で説明する表示装置１００は、表示装置１００を設置するための孔を天井９０１に特別に施工しなくても、ダウンライトなどの設置を目的に空けられた標準サイズの天井孔を利用して、天井９０１に設置することができる。
【００４０】
また、上記実施の形態２において、前述の点灯装置固定工程後に、点灯装置２００の箱状筐体が天井９０１の孔の上方にあるボルト９０３にあたらないように、点灯装置２００の箱状筐体の器具本体３００の天面からはみ出している部分を斜め上方に向けて、点灯装置２００の箱状筐体の器具本体３００の天面からはみ出している部分から点灯装置２００の箱状筐体を天井９０１の孔に挿入する筐体挿入工程について説明した。
また、上記筐体挿入工程後に、器具本体３００を天井９０１の孔にはめこみながら、ボルト９０３をボルト挿入孔３１７に挿入し、固定金具４００をボルト９０３に固定する固定工程について説明した。
【００４１】
実施の形態３．
実施の形態３では表示パネル５００の構成部品について説明する。表示パネル５００は、前記実施の形態１や前記実施の形態２で説明した器具本体３００や固定金具４００に取り付けることができ、天井９０１に設置することができる。
【００４２】
図２３は、実施の形態３におけるパイプ５４０と点灯部５５０と発光板５６０との接続を示す図である。
表示パネル５００の構成部品のうちパイプ５４０と点灯部５５０と発光板５６０との接続について、図２３に基づいて以下に説明する。
【００４３】
まず、突起部（突起物５４２）と溝部（はめ込み溝５４１）を備える支持部（パイプ５４０）について説明する。
パイプ５４０（点灯部用支柱の一例）は、後述する器具本体３００の蓋になるカバー５１０のパイプ挿入孔５１１に挿入され、パイプ挿入孔５１１の上方で後述する止め具５３０の開口部５３１をはめ込まれカバー５１０に固定され、引き上げられるはめ込み溝５４１（支柱はめ込み溝の一例）を有する。はめ込み溝５４１は環状溝でも半円状の溝でも構わない。
また、パイプ５４０は、パイプ挿入孔５１１の下方でカバー面５９８に圧せられカバー５１０に接せられる突起物５４２（支柱突起部の一例）を有する。突起物５４２は環状凸部でも１点の凸部でも構わない。
また、パイプ５４０は、発光板５６０をパイプ５４０の上下方向にスライドして着脱される取付溝５４３（支柱スライド溝の一部）を有し、取付溝５４３は装着された発光板５６０を固定するネジが取り付けられるネジ孔５４４を持つ。
また、パイプ５４０は、発光体５６２が発する光を入光して点灯する点灯部５５０が取り付けられる取付部５４５を有する。
そして、パイプ５４０は、コネクタ５９３・コネクタ５９４を有する電線をパイプ５４０内部に通す中空パイプであり、落下防止具５９５を接続する。
はめ込み溝５４１はパイプ５４０を取りつける任意の場所に加工し、突起物５４２は成型品として成型しても良いし後から金具を取り付けることによって形成しても良い。
次に、発光板５６０について説明する。
発光板５６０は、発光体５６２とコネクタ５６３とを設置された発光体取付面５６１、発光板５６０の設置位置において点灯部５５０を保護するカバー面５６６およびパイプ５４０に固定するネジが取り付けられるネジ孔５６５を持つ設置部５６４を有する。
次に、点灯部５５０について説明する。
点灯部５５０はケース５５３を有し、発光体５６２の光を入光し点灯する導光板５５１と光を導光板５５１の前方の点灯面に反射する反射シート５５２とがケース５５３に格納される。
発光体５６２としてＬＥＤを用いることで配線を延ばし点灯装置２００から点灯部５５０を離して設置することが容易になるが、蛍光灯などのその他の発光体を用いてもよい。導光板５５１には一般的にアクリル材が用いられる。
【００４４】
図２３に示すように、パイプ５４０と点灯部５５０とは取付溝５４３において接続され、パイプ５４０と発光板５６０とは設置部５６４が取付溝５４３に装着されネジ孔５４４とネジ孔５６５とにネジ５６９を取り付けられて固定される。
【００４５】
図２４は、実施の形態３におけるパイプ５４０と発光板５６０との接続を示す拡大図である。
発光板５６０は、図２４に示すように、発光体５６２に電力を供給する電線を接続するコネクタ５６３を発光体取付面５６１の長手方向において中央から外れた位置に配置する。この配置により、発光板５６０をパイプ５４０に取り付け時にコネクタ５６３が邪魔にならない。また、発光体取付面５６１の下方へのコネクタ５６３の配置を避けられたことで、パイプ５４０（特に取付部５４５上方の入光面）にコネクタ５６３用の加工をする必要が無くなり、取付部５４５の点灯機能への悪影響を避けることができる。
【００４６】
次に、表示パネル５００の構成部品であるパイプ５４０とカバー５１０との接続について、図２５、図２６および図２７に基づいて以下に説明する。
図２５は、実施の形態３におけるパイプ５４０のカバー５１０への取り付けを示す正面−平面−右側面図である。
図２６は、実施の形態３におけるパイプ５４０のカバー５１０への取り付けを示す正面−底面−左側面図である。
図２７は、実施の形態３におけるパイプ５４０のカバー５１０への取り付けを示す拡大図である。
【００４７】
表示パネル５００は、点灯部５５０、点灯部５５０が設置されるパイプ５４０、パイプ５４０が挿入されるパイプ挿入孔５１１（点灯部用支柱挿入孔の一例）があるカバー面５９８（点灯部用支柱挿入面の一例）を有するカバー５１０（支柱取付器の一例）およびパイプ５４０を挿入する開口部５３１（取付具開口部の一例）がありパイプ５４０をカバー５１０に取り付ける止め具５３０（開口取付具の一例）を備える。また、表示パネル５００は、カバー５１０に接合されて止め具５３０を固定する取付金具５２０（開口固定具の一例）を備える。
表示パネル５００は固定金具４００に設置され器具本体３００の中空胴部の開口面をカバー面５９８によりカバーする。
【００４８】
止め具５３０は、パイプ５４０のはめ込み溝５４１に嵌合する取付金具である。止め具５３０はＵの字状スリット（開口部５３１）を有した金具であり、内径をはめ込み溝５４１の径とほぼ同等とする。また、カバー５１０に固定する取付ネジ（ネジ５９１・ネジ５９２）を取り付ける為のタップ加工が施されネジ孔５３２・ネジ孔５３３（取付具ネジ孔の一例）を備える。また、ネジ孔５３２・ネジ孔５３３は取付金具５２０側に引き上げるネジ（ネジ５９１・ネジ５９２）を取り付けるネジ孔である。
取付金具５２０は、パイプ５４０を挿入するとともに止め具５３０を挿入してパイプ５４０を保持する取付金具である。取付金具５２０にはパイプ５４０の径とほぼ同等の径の穴加工を行いパイプ挿入孔５２１（固定具開口部の一例）を成形し、止め具５３０を引き上げて固定する取付ネジ（ネジ５９１・ネジ５９２）を挿入する為の穴加工を行いネジ孔５２２・ネジ孔５２３（固定具ネジ孔の一例）を成形する。取付金具５２０はスポット溶接やネジ止め等の方法によりカバー５１０に固定する。
カバー５１０は、止め具５３０とパイプ５４０を挿入するパイプ挿入孔５１１を備え、ネジ締めによって突起物５４２に圧接してパイプ５４０を固定する。パイプ挿入孔５１１はパイプ５４０の径と同等の径の穴加工により成形される。
ネジ５９１・ネジ５９２はカバー５１０と止め具５３０との結合力（圧接力）を増すためのネジである。
開口部５３１、パイプ挿入孔５２１はＵ字状のように一部が開いた形状でもよいし、円状のように閉じる形状でもよいし、角形状でも構わない。
【００４９】
ここで、パイプ５４０とカバー５１０との固定方法について説明する。
固定方法として、止め具５３０に対してネジ５９１・ネジ５９２を締めて、パイプ５４０の突起物５４２とカバー５１０のカバー面５９８との圧接力を増すことで固定する方法について以下に手順を説明する。
（１）パイプ５４０を被パイプ取付部（カバー５１０）および被パイプ取付部の上部に設置した取付金具５２０の穴（パイプ挿入孔５１１・パイプ挿入孔５２１）に挿入する。この時、パイプ５４０のはめ込み溝５４１は被パイプ取付部と取付金具５２０の間に来るように配置する。
（２）パイプ５４０のはめ込み溝５４１に止め具５３０を挿入する。
（３）止め具５３０および取付金具５２０にネジ５９１・ネジ５９２を取り付ける。
この固定方法により、突起物５４２とカバー面５９８との圧接力でパイプ５４０を確実に固定でき、少ない部品構成で表示パネル５００を固定することができる。つまり、ネジ５９１・ネジ５９２を締めると、止め具５３０が上方（取付金具５２０側）に引き上げられ突起物５４２に対するパイプ挿入孔５１１周囲のカバー面５９８の圧力が増すため、パイプ５４０をカバー５１０に固定することができる。また、パイプ挿入孔５１１とパイプ挿入孔５２１とにパイプ５４０を挿入し上下２箇所で前後左右にパイプ５４０を支えることで、パイプ５４０の前後左右へのがたつきを防ぎ固定強度を増すことができる。
但し、取付金具５２０を備えずパイプ５４０をカバー５１０に固定してもよい。例えば、パイプ５４０をパイプ挿入孔５１１に挿入し、カバー面５９８の上方において止め具５３０をはめ込み溝５４１に挿入し、止め具５３０に対してネジ５９１・ネジ５９２を締めて止め具５３０をカバー５１０に固定してもよい。つまり、パイプ５４０のはめ込み溝５４１と止め具５３０の開口部５３１との引っ掛かり力を増してパイプ５４０をカバー５１０に固定する方法を用いてもよい。
【００５０】
図２８は、実施の形態３におけるカバー５１０とパイプ５４０と点灯部５５０と発光板５６０とを接続した表示パネル５００を示す正面−平面−右側面図である。
図２９は、実施の形態３におけるカバー５１０とパイプ５４０と点灯部５５０と発光板５６０とを接続した表示パネル５００を示す正面−底面−左側面図である。
【００５１】
図３０は、実施の形態３におけるカバー表示パネル５００と器具本体３００とを示す図である。
【００５２】
上記実施の形態３において、光源（発光体５６２）、光源取付部（発光板５６０）、導光板５５１（表示部）、パイプ形状であり取付溝５４３と取付溝５４３より下方に位置する突起物５４２を有するパイプ５４０、取付穴（開口部５３１）の開いた板状の部品（止め具５３０）及び取付金具（取付金具５２０）を有する被表示板取付部（カバー５１０）を備えた表示装置１００について説明した。
また、発光体取付面５６１において光源（発光体５６２）の電気的接続部（コネクタ５６３）をパイプ５４０を避けた位置に配置した発光板５６０について説明した。
【００５３】
また、パイプ５４０の他端に点灯部５５０を接続し、パイプ５４０の一端をカバー面５９８に固定する器具接続工程について説明した。
【００５４】
上記で示したように、カバー５１０とパイプ５４０と点灯部５５０と発光板５６０とは容易にかつ確実に取り付けることができ、また、各構成部品に対して複雑な加工は不要である。つまり、上記実施の形態３において取り付け・加工が容易である表示パネル５００について説明した。
【００５５】
実施の形態４．
実施の形態４では、上記の各実施の形態における表示装置１００に対して連結パイプ５４９（延長柱の一例）をパイプ５４０に接続し、器具本体３００と表示パネル５００の点灯部５５０との距離を延長することについて、図３１、図３２、図３３および図３４に基づいて説明する。パイプを延長することにより天井の高さが異なる建物に対して、最適な高さに表示パネル５００を設置することができる。
【００５６】
図３１は、実施の形態４における器具本体３００と表示パネル５００の点灯部５５０との距離の延長を示す正面−平面−右側面図である。
図３２は、実施の形態４における器具本体３００と表示パネル５００の点灯部５５０との距離の延長を示す正面−底面−右側面図である。
【００５７】
パイプの径が異なる連結パイプ５４９をパイプ５４０に取り付ける場合、パイプ５４０と同形状の部品（取付具５４８）をカバー５１０側に取り付け、パイプ５４０および取付具５４８の内側に連結パイプ５４９に対応する径のタップ加工とねじ切りとを施す。そして、パイプ５４０と取付具５４８とに連結パイプ５４９を取り付けることで、パイプ５４０の取付と同様の金具（止め具５３０、ネジ５９１、ネジ５９２など）を使用して、カバー５１０とパイプ５４０との距離を延長し、器具本体３００と点灯部５５０との距離を延長することができる。
【００５８】
図３３は、実施の形態４における器具本体３００と表示パネル５００の点灯部５５０との距離の延長を示す正面−平面−右側面図である。
図３４は、実施の形態４における器具本体３００と表示パネル５００の点灯部５５０との距離の延長を示す正面−底面−右側面図である。
図３３、図３４に示すように、パイプ５４０に被せて取付具５４７を取り付けて連結パイプ５４９とパイプ５４０との接続の強化を図ってもよい。また、溝や突起物が無い取付具５４７をパイプ５４０の上から取り付けることで表示装置１００の外観を良くすることができる。
【００５９】
実施の形態４において、１つの器具（取付具５４８）を用いることで径の異なるパイプ（連結パイプ５４９）をパイプ５４０に取り付ける事を可能にする方法を説明した。つまり、器具本体３００と点灯部５５０との距離を延長する方法について説明した。これにより、点灯部５５０を容易に自由な高さで設置することができる。
【００６０】
実施の形態５．
上記の各実施の形態で説明した表示装置１００は、上下方向に分割されたパイプ５４０のうち点灯部５５０の設置された側のパイプ５４０を接合して複数の点灯部５５０を備えてもよい。つまり、図２４において、“Ａ−Ａ線”で分割したパイプ５４０のうちケース５５３を有する“Ｂ側”のパイプ５４０を接続し、前後２面で点灯部５５０を備えてもよい。
図３５は、実施の形態５における表示パネル５００に２つの点灯部５５０を備えた表示装置１００の設置状態を示す右側面図である。
【００６１】
実施の形態５において、２分割で同形状のパイプ５４０を組み合わせる方法であり、パイプ５４０が半円柱状となっており同形状の部材（パイプ５４０、点灯部５５０など）を対向して取り付けることを可能とした表示パネル５００について説明した。
但し、表示パネル５００は、パイプ５４０を３つ以上に分割し、３つ以上の点灯部５５０を備えてもよい。
つまり、実施の形態５における表示装置１００は複数の点灯部５５０を備えることができる。
【００６２】
上記の各実施の形態において、以下のような表示装置１００について説明した。
天井の孔にはめ込まれ、孔の上方にある装置用支柱に固定される電灯装置であり、前記装置用支柱を通す容器用挿入孔を有する天面と中空胴部とを有するハット状の取付容器と、前記取付容器の中空胴部の開口面をカバーする点灯部用支柱挿入面を有する点灯器と、前記取付容器と前記点灯部用支柱挿入面との内部に設けられ、前記取付容器を前記装置用支柱に固定し、かつ、前記点灯器を前記取付容器に取付る固定器具を備えた電灯装置。
【００６３】
また、前記電灯装置において、前記固定器具は、前記取付容器内部において前記取付容器の天面に固定されるとともに、装置用支柱を通す装置用開口部を有し、前記装置用支柱を前記容器挿入孔と前記装置用開口部とに通して、前記取付容器と前記固定器具とを装置用支柱に固定する電灯装置固定面と、前記電灯装置固定面から前記取付容器の中空胴部内に沿って歯状に形成された点灯器固定側部と、前記点灯器固定側部の端部を中空胴部の中央方向に折り曲げた点灯器固定面と、前記電灯装置固定面と前記点灯器固定側部と前記点灯器固定面の内側に取り付けられた点灯用部品と、前記点灯器固定面の外面に設けられ前記点灯器の点灯部用支柱挿入面を取り付ける点灯器用支柱とを有する。
【００６４】
前記電灯装置は、さらに、前記取付容器の天面の外面に固定された箱状筐体を有する電源装置を備え、前記電源装置は、前記取付容器と前記点灯器との装置用支柱への取り付けの妨げにならない位置に偏位して天面の外面に固定され、箱状筐体の一部は、天面からはみ出して取り付けられている。
【００６５】
また、前記固定器具は、前記電灯装置固定面から前記取付容器の中空胴部内に沿って歯状に形成された少なくとも３つの側部と各側部の端部を中空胴部の中央方向に折り曲げた舌状の固定面とを有し、第１の側部の前記固定面と第２の側部の前記固定面との外面に前記点灯器の点灯部用支柱挿入面を固定する点灯器用支柱を備え、第３の側部の前記固定面の外表面と前記点灯器の点灯部用支柱挿入面との間に点検装置を備える。
【００６６】
そして、前記電灯装置は、前記電灯装置固定面と第１の側部と第１の側部の前記固定面との内側に電池を固定し、前記電灯装置固定面と第２の側部と第２の側部の前記固定面との内側に電源端子台を固定し、前記電灯装置固定面と第３の側部と第３の側部の前記固定面との内側に点検装置を固定し、中空胴部の中央部分に、装置用支柱への固定作業と点灯部品の配線作業とのための空間を提供する。
【００６７】
また、前記電灯装置は、前記取付容器の中空胴部をカバーする点灯部用支柱挿入面を有する支柱取付器と、一端が前記点灯部用支柱挿入面に取り付けられ、他端に点灯部を接続する中空パイプ状の点灯部用支柱とを備え、前記点灯部用支柱の一端には、端部から順に環状溝と環状凸部とが形成され、前記支柱取付器は、前記点灯部用支柱の一端を環状凸部まで挿入する点灯部用支柱挿入孔を有する前記点灯部用支柱挿入面と、前記点灯部用支柱挿入孔に挿入された前記点灯部用支柱の一端の環状溝に係合するＵ字状の開口取付具と、前記点灯部用支柱挿入面の内面と前記開口取付具との間に圧力をかけて、前記環状凸部を前記点灯部用支柱挿入面の挿入孔の周囲外面に圧接することにより、前記点灯部用支柱の一端を前記支柱取付器に固定するネジ部品とを備える。
【００６８】
また、上記の各実施の形態において、以下のような表示装置１００の取付方法について説明した。
前記電源装置の箱状筐体の一部を前記取付容器の天面からはみ出させて配置して、前記固定器具と前記電源装置とを前記取付容器の天面を挟んで固定する電源装置固定工程と、前記電源装置固定工程後、前記電源装置の箱状筐体が天井の孔の上方にある前記装置用支柱にあたらないように、前記電源装置の箱状筐体の前記取付容器の天面からはみ出している部分を斜め上方に向けて、前記電源装置の箱状筐体の前記取付容器の天面からはみ出している部分から前記電源装置の箱状筐体を天井の孔に挿入する筐体挿入工程と、前記筐体挿入工程後、前記取付容器を天井の孔にはめこみながら、前記装置用支柱を前記容器挿入孔に挿入し、前記固定金具を前記装置用支柱に固定する固定工程と、前記点灯部用支柱の他端に点灯部を接続し、前記点灯部用支柱の一端を前記点灯部用支柱挿入面に固定する器具接続工程と、前記器具接続工程後、前記支柱取付器を前記取付容器に取り付けるカバー工程とを備えた電灯装置の取付方法。
【図面の簡単な説明】
【００６９】
【図１】実施の形態における表示装置１００の設置状態を示す正面図。
【図２】実施の形態における表示装置１００の設置状態を示す右側面図。
【図３】実施の形態における表示装置１００の設置状態を示す平面図。
【図４】実施の形態１における固定金具４００を取り付けた器具本体３００と点灯装置２００とを示す図。
【図５】実施の形態１における器具本体３００を示す図。
【図６】実施の形態１における固定金具４００を示す図。
【図７】実施の形態１における固定金具４００と取付部品とを示す図。
【図８】実施の形態１における取付部品を取り付けた固定金具４００を示す図。
【図９】実施の形態１における一方向に回転する電池保持板４５８を示す図。
【図１０】実施の形態１における表示パネル５００を取り付ける固定金具４００を示す図。
【図１１】実施の形態１における表示パネル５００を取り付ける固定金具４００を示す図。
【図１２】実施の形態１における表示パネル５００を取り付ける固定金具４００を示す図。
【図１３】実施の形態１における表示パネル５００を取り付ける固定金具４００を示す図。
【図１４】実施の形態１における表示パネル５００を取り付ける固定金具４００を示す図。
【図１５】実施の形態２における点灯装置２００を取り付けた器具本体３００の天井への設置を示す図。
【図１６】実施の形態２における点灯装置２００を取付た器具本体３００の天井への設置を示す図。
【図１７】実施の形態２における点灯装置２００と器具本体３００とボルト９０３との関係を示す正面図。
【図１８】実施の形態２における点灯装置２００と器具本体３００とボルト９０３との関係を示す正面図。
【図１９】実施の形態２における点灯装置２００と器具本体３００との関係を示す側面図。
【図２０】実施の形態２における天井９０１の孔径が１７５ミリメートルである場合の各寸法の範囲を示す表。
【図２１】実施の形態２における天井９０１の孔径が１５０ミリメートルである場合の各寸法の範囲を示す表。
【図２２】実施の形態２における天井９０１の孔径が１２５ミリメートルである場合の各寸法の範囲を示す表。
【図２３】実施の形態３におけるパイプ５４０と点灯部５５０と発光部発光板５６０との接続を示す図。
【図２４】実施の形態３におけるパイプ５４０と発光板５６０との接続を示す拡大図。
【図２５】実施の形態３におけるパイプ５４０のカバー５１０への取り付けを示す正面−平面−右側面図。
【図２６】実施の形態３におけるパイプ５４０のカバー５１０への取り付けを示す正面−底面−左側面図。
【図２７】実施の形態３におけるパイプ５４０のカバー５１０への取り付けを示す拡大図。
【図２８】実施の形態３におけるカバー５１０とパイプ５４０と点灯部５５０と発光板５６０とを接続した表示パネル５００を示す正面−平面−右側面図。
【図２９】実施の形態３におけるカバー５１０とパイプ５４０と点灯部５５０と発光板５６０とを接続した表示パネル５００を示す正面−底面−左側面図。
【図３０】実施の形態３におけるカバー表示パネル５００と器具本体３００とを示す図。
【図３１】実施の形態４における器具本体３００と表示パネル５００の点灯部５５０との距離の延長を示す正面−平面−右側面図。
【図３２】実施の形態４における器具本体３００と表示パネル５００の点灯部５５０との距離の延長を示す正面−底面−右側面図。
【図３３】実施の形態４における器具本体３００と表示パネル５００の点灯部５５０との距離の延長を示す正面−平面−右側面図。
【図３４】実施の形態４における器具本体３００と表示パネル５００の点灯部５５０との距離の延長を示す正面−底面−右側面図。
【図３５】実施の形態５における表示パネル５００に２つの点灯部５５０を備えた表示装置１００の設置状態を示す右側面図。
【符号の説明】
【００７０】
１００  表示装置、２００  点灯装置、３００  器具本体、３１０  取付面、３１１，３１２  電線挿入孔、３１３，３１４，３１５，３１６  ネジ孔、３１７  ボルト挿入孔、３２０  側面、３３０  つば、４００  固定金具、４１０  取付面、４１１  ボルト挿入孔、４１２  電線挿入孔、４１３，４１４，４１５，４１６  ネジ孔、４１７，４１８  ボルト固定作業孔、４１９  端子台固定孔、４２０，４３０  表示パネル固定部、４２１，４３１  側面、４２２，４３２  固定面、４２３，４３３  ボルト、４２４  落下防止具取付部、４４０  点検スイッチ固定部、４４１  側面、４４２  固定面、４４３，４４４  取付面、４４５，４４６  ネジ孔、４５０  電池保持部材、４５１  取付面、４５２  支持面、４５３  連結面、４５４  ボルト挿入孔、４５８  電池保持板、４５９  ナット、５００  表示パネル、５１０  カバー、５１１  パイプ挿入孔、５１４，５１５  取付孔、５１６，５１７，５１８  確認孔、５１９  スイッチ押下孔、５２０  取付金具、５２１  パイプ挿入孔、５２２，５２３  ネジ孔、５３０  止め具、５３１  開口部、５３２，５３３  ネジ孔、５４０  パイプ、５４１  はめ込み溝、５４２  突起物、５４３  取付溝、５４４  ネジ孔、５４５  取付部、５４７，５４８  取付具、５４９  連結パイプ、５５０  点灯部、５５１  導光板、５５２  反射シート、５５３  ケース、５６０  発光板、５６１  発光体取付面、５６２  発光体、５６３  コネクタ、５６４  設置部、５６５  ネジ孔、５６６  カバー面、５６９  ネジ、５８１  スイッチ押下孔、５９１，５９２  ネジ、５９３，５９４  コネクタ、５９５  落下防止具、５９６，５９７  ナット、５９８  カバー面、８１０  電源端子台、８１１  ネジ孔、８１２  突起部、８１３  コネクタ、８１９  ネジ、８２０  電池、８３０  点検スイッチ部、８３１，８３２  固定面、８３３  手動点検スイッチ、８３４  自動点検スイッチ、８３５，８３６，８３７  確認ランプ、８３８，８３９  ネジ、９０１  天井、９０２  壁面、９０３  ボルト、９０４  ナット。
【図１】
0004699865.tif 000002
【図２】
0004699865.tif 000003
【図３】
0004699865.tif 000004
【図４】
0004699865.tif 000005
【図５】
0004699865.tif 000006
【図６】
0004699865.tif 000007
【図７】
0004699865.tif 000008
【図８】
0004699865.tif 000009
【図９】
0004699865.tif 000010
【図１０】
0004699865.tif 000011
【図１１】
0004699865.tif 000012
【図１２】
0004699865.tif 000013
【図１３】
0004699865.tif 000014
【図１４】
0004699865.tif 000015
【図１５】
0004699865.tif 000016
【図１６】
0004699865.tif 000017
【図１７】
0004699865.tif 000018
【図１８】
0004699865.tif 000019
【図１９】
0004699865.tif 000020
【図２０】
0004699865.tif 000021
【図２１】
0004699865.tif 000022
【図２２】
0004699865.tif 000023
【図２３】
0004699865.tif 000024
【図２４】
0004699865.tif 000025
【図２５】
0004699865.tif 000026
【図２６】
0004699865.tif 000027
【図２７】
0004699865.tif 000028
【図２８】
0004699865.tif 000029
【図２９】
0004699865.tif 000030
【図３０】
0004699865.tif 000031
【図３１】
0004699865.tif 000032
【図３２】
0004699865.tif 000033
【図３３】
0004699865.tif 000034
【図３４】
0004699865.tif 000035
【図３５】
0004699865.tif 000036